【事件の表示】
　特許第２７５５９８４号「光カード装置」の請求項１ないし２に係る特許に対する特許異議の申立てについて、次のとおり決定する。
【結論】
　特許第２７５５９８４号の請求項１に係る特許を取り消す。
　同請求項２に係る特許を維持する。
【理由】
　本件特許第２７５５９８４号の各請求項に係る発明は、平成１年３月２２日に出願されたものであって、平成１０年３月６日にその特許権の設定登録がなされ、その後、特許異議申立がなされ、取消理由通知がなされたものである。
　本件特許第２７５５９８４号の各請求項に係る発明は、明細書及び図面の記載からみて、特許請求の範囲に記載された次の事項によって特定されるとおりのものである。
「【請求項１】カード挿入口から挿入された光力ードを搬送路に沿って搬送する搬送手段と、前記搬送路に対向して設置された光カードの複数の位置を検出する複数の検出器と、前記検出器の検出出力が変化する時点から、予め設定された時間が経過するまでに、他の所定の検出器の検出出力が変化しない時に異常信号を送出する動作異常検出手段とを備えたことを特徴とする光カード装置。」（以下、本件第１発明という。）
「【請求項２】カード挿入口から挿入された光力ードを搬送路に沿って搬送する搬送手段と、前記搬送路に対向して設置された光カードの複数の位置を検出する複数の検出器と、前記複数の検出器の検出出力の変化する順次が、標準的な順序と異なるときに異常と判断する動作異常検出手段とを備えたことを特徴とする光カード装置。」（以下本件第２発明という。）
　当審が通知した取消理由で引用した刊行物１（特開昭６２−５７０８５号公報）には、情報記録再生装置に関する発明が記載されており、「本発明は記録媒体上に情報を記録および／または再生する情報記録再生装置に係るものであってとりわけ媒体としてカード状の情報記録媒体を用いる装置に関するものである。」（第１頁左下欄第１７〜２０行）、「第３図において光カード１を挿入口４１中の開口４２から挿入すると、センサ４３が光カード１の進入を検知して、モータ４４がプーリー４５を回転させる。光カード１を更に押し込むと光カードの先端はローラー４６と４７にはさまれ、不図示の案内手段により案内されて図中右上方向へ送られる。この時シャトル５は突起４８が凹み４９に係合する位置にあり、シャトル５の切欠部５０にローラー５１，５２が入り込んでいる。更にモーターが回転するとローラー５１５２に押されてストッパ５３に当たるまで光カード１はシャトル５内へ挿入され、センサ４３が光カード１の進入を検知して一定時間後、モーター４４は停止する。５４は第１図、第２図を用いて機能を説明した光学的異常検出手段であり、センサ４３が光カード１の挿入を検知した後、一定の遅延時間後に作動して前述した如く光カード１の挿入状態の異常の有無、すなわち、逆指し、裏指し、或いは反射率の違いにより判別可能な異種カードの挿入等が判別される。更に、異常検出手段５４を光カード１挿入時に待機状態にあるシャトル５のストッパ５３付近に配置すれば、光カード１が挿入時に装置内部で詰まった場合でも、シャトル５からの反射光を検出することにより異常を検知できる。異常検出手段５４により挿入状態に異常が認められた場合には、モーター４４は、挿入時とは逆方向に回転し、光カード１は挿入口４１の開口４２より装置の外へ排出される。この時何らかの異常が認められたことを使用者に認識させる為に、表示手段を用いて表示することが可能である。異常検出手段５４により異常が認められなかった場合にはソレノイド５５がレバー５６を引いてレバー５７の凹み４９とシャトル５の突起４８との係合を解く。同時に、又は一定遅延時間後にモーター５８が回転してシャトル５を右上方向へ、移動させ、光ヘッド３による情報の記録・再生が行われる。」（第４頁左上欄第１６行〜左下欄第１３行）と説明されている。
　刊行物２（実願昭６１−１４２９１号（実開昭６２−１２９６７１号）のマイクロフィルム）には、紙葉類処理機が記載されており、「搬送経路上の取込手段近傍の第１の位置に紙葉類の有無を検知する第１の紙葉類検知手段を設け、第１の位置から下流側に所定距離だけ離れた搬送路上の第２の位置に紙葉類の有無を検知する第２の紙葉類検知手段を設け、取込まれた紙葉類が投入口から取出可能な位置にあるか否かを検知する第３の紙葉類検知手段を設け、第１の位置から第２の位置に紙葉類が搬送される搬送時間が所定時間以上であって、第１の紙葉類検知手段により第１の位置に紙葉類が存在していることが検知され、かつ第３の紙葉類検知手段により紙葉類が取出可能な位置にあることが検知された場合に取込不良と判断して、搬送手段により搬送を継続したまま取込手段により取込のみ停止させることを特徴とする。」（第５頁第１０行〜第６頁第４行）、「取込機構１０３ａの後の搬送路ａ上には紙幣の有無を確認するためのセンサＰＳＸとＰＳＺが設けられている。センサＰＳＸには取込機構１０３ａの直後に設けられ、取込機構１０３ａで紙幣が詰まっているか否かを検出する。センサＰＳＺはセンサＰＳＸより奥に設けられている。このセンサＰＳＺは、投入口１０１ａから取出可能な位置にある詰まった紙幣の先端を検出する位置に設けられる。また紙幣アライナー部１０４ａに入る前の搬送路ｂ上に紙幣の有無を確認するためのセンサＰＳＹが設けられている。センサＰＳＸとＰＳＹとの検出信号により紙幣がジャムしたか否かが検出される。」（第７頁第１５行〜第８頁第７行）、「第２図は本実施例を制御する制御装置の主要部を示す。投入口１０１ａに紙幣が載置されたか否かを検出するセンサＳｌの検出信号は制御部４０５に入力される。投入口１０１ａに紙幣が載置されセンサＳｌの検出信号が制御部４０５に入力されると、制御部４０５は取込機構１０３ａを駆動する取込駆動部４０６と搬送駆動部４０７を動作させる。また、このセンサＳ１と、取込機構１０３ａの直後に設けられたセンサＰＳＸの検出信号は第１タイマ４０１に入力される。第１タイマ４０１は投入口１０１ａに載置された紙幣が所定時間内でセンサＰＳＸに達するか否かを検知するためのもので、センサＳ１の検出信号によりセットされセンサＰＳＸの検出信号によりリセットされる。第１タイマ４０１からのタイムアップ信号は制御部４０５に入力される。タイムアップ時には、制御部４０５は取込機構１０３ａを駆動する取込駆動部４０６および搬送駆動部４０７を停止される。取込機構１０３ａの直後に設けられたセンサＰＳＸと、紙幣アライナ部１０４ａの直前に設けられたセンサＰＳＹの検出信号は第２タイマ４０２に入力される。第２タイマ４０２は紙幣が所定時間内でセンサＰＳＸからセンサＰＳＹに達するか否かを検知するためのもので、センサＰＳＸの検出信号によりセットされ、センサＰＳＹの検出信号によりリセットされる。第２タイマ４０２からのタイムアップ信号は取込不良検出部４０４に入力される。」（第１４頁第５行〜第１５頁第１３行）と説明されている。
　刊行物３（特開昭６２−２１７４６０号公報）
には、磁気カードの搬送経路に沿って、互いに異なる位置に複数のセンサが設けられ、各センサヘの磁気カードの通過時間を検出して、その時間が所定時間より長くなった場合に、異常または２枚以上の誤挿入と判断して搬送手段を停止する磁気カード誤挿入防止機構が記載されている。
　本件第１発明と上記刊行物１記載の発明とを対比すると、
（ａ）上記刊行物１記載の発明は、光カードに情報を記録および／または光カードの情報を再生する情報記録再生装置に係るものであるから、本件第１発明の光カード装置であるとする点に相当する、
（ｂ）上記刊行物１記載の発明においては、光カード１を挿入口４１中の開口４２から挿入すると、モータ４４がプーリー４５を回転させ、光カード１を更に押し込むと光カードの先端はローラー４６と４７にはさまれ、案内手段により案内されて送られ、更にモーターが回転するとローラー５１，５２に押されてストッパ５３に当たるまで光カード１はシャトル５内へ挿入されるように構成されており、これらの構成は、本件第１発明がカード挿入口から挿入された光カードを搬送路に沿って搬送する搬送手段を備えるとする点に相当する。
　したがって、本件第１発明と上記刊行物記載の発明とは、次の点で相違し、その余では一致する。
　本件第１発明の複数の検出器は、光カードの複数の位置を検出するものであるのに対し、上記刊行物１記載の発明の複数の検出器は、一方はカードの挿入を検出するものであるものの、他方は光カードからの反射光を受光部で受光して、その出力を予め設定された値と比較することによって、光カードの逆差し、裏差しなどの挿入状態の異常の有無あるいは異種カードの挿入を判別するものであって、カードの位置を検出ものではない点、
さらに、本件第１発明においては、位置を検出する検出器の検出出力が変化する時点から、予め設定された時間が経過するまでに、他の所定の検出器の検出出力が変化しない時に異常信号を送出する動作異常検出手段とを備えるとしているのに対し、上記刊行物１記載の発明にはその構成がない点
　そこで判断するに、上記刊行物２は紙葉類処理機に関するものであって、センサＰＳＸの検出信号によりセットされ、センサＰＳＹの検出信号によりリセットされる第２タイマを設け、第２タイマ４０２からのタイムアップ信号を取込不良検出部４０４に入力することが記載されている。そして、本件の明細書に記載された第４図の実施例には、短いカードが搬送され、第１の検出器で検出された後所定時間内に第２の検出器でそのカードが検出されないという場合が示されており、この場合、光カードの複数の位置を検出するということは、カードが検出器の設置位置に到達することを検出していることにほかならず、また、本件の明細書に記載された第８図の実施例には、（送り機構が動かなくなった場合も想定されているが、）短いカードが搬送され、第１の検出器で検出された後所定時間内に第２の検出器でそのカードが検出されないという場合を示しており、この場合、光カードの複数の位置を検出するということは、カードが検出器の設置位置に到達することを検出していることにほかならないから、本件第１発明の光カードの複数の位置を検出するということは、力一ドが検出器の設置位置に到達することを検出するということでもある。してみれば、上記刊行物２の紙葉類処理機において、複数のセンサを設け、ＰＳＸの検出出力が発生した時点から、予め設定された時間が検出されるまでに、ＰＳＹの検出出力が発生しないときにはタイムアップ信号を出力する第２タイマを設けるとする点は、本件第１発明における複数の検出器と、その検出器の検出出力が変化する時点から、予め設定された時間が経過するまでに、他の所定の検出器の検出出力が変化しない時に異常信号を送出する動作異常検出手段とを備える点に相当する。
　そして、光カードの搬送が紙葉類、小切手、クレジットカードなどの搬送と類似した技術分野に属することは明らかである（必要ならば、例えば、実公昭５７−３０６７３号公報、特開昭６３−２５３５６６号公報参照）ところ、発明の課題解決のためにこのような類似する技術分野の技術手段を適用を試みるとすることは、当業者の通常の創作能力の発揮にすぎないから、上記刊行物２記載のようなセンサおよびそのセンサにより動作制御されるタイマを上記刊行物記載の発明に適用して、本件第１発明の光カード装置のように、カード挿入口から挿入された光カードを搬送路に沿って搬送する搬送手段と、前記搬送路に対向して設置された光カードの複数の位置を検出する複数の検出器と、前記検出器の検出出力が変化する時点から，予め設定された時間が経過するまでに、他の所定の検出器の検出出力が変化しない時に異常信号を送出する動作異常検出手段とを備えるとすることは、当業者が容易になし得ることにすぎない。
　また、上記刊行物２記載の紙葉類処理装置においては、取込駆動部、搬送駆動部等を制御する制御部を第２タイマのタイムアップ信号により制御するようにはなっていないが、上記刊行物１記載の発明のような光カード装置に適用するに際し、第２タイマのタイムアップ信号によりモーター等を制御するようにすることは当業者が適宜なし得る程度のことにすぎないところ、本件第１発明においては、動作異常検出手段を備えるとしているものの、その動作異常検出手段でどのような制御を行うかは請求項に記載されておらず、したがって、動作異常検出手段でどのような制御を行うかは本件第１発明の構成要件ではないが、たとえ、本件の明細書に記載のような、異常信号を受けると、図示されていない制御部により装置を初期状態に復帰させるとした場合であっても、それは当業者が適宜なし得ることにすぎない。
　本件第２発明と上記刊行物１記載の発明とを対比すると、
（ｃ）上記刊行物１記載の発明は、光カードに情報を記録および／または光カードの情報を再生する情報記録再生装置に係るものであるから、本件第２発明の光カード装置であるとする点に相当する、
（ｄ）上記刊行物１記載の発明においては、光カード１を挿入口４１中の開口４２から挿入すると、モータ４４がプーリー４５を回転させ、光カード１を更に押し込むと光カードの先端はローラー４６と４７にはさまれ、案内手段により案内されて送られ、更にモーターが回転するとローラー５１，５２に押されてストッパ５３に当たるまで光カード１はシャトル５内へ挿入されるように構成されており、これらの構成は、本件第２発明がカード挿入口から挿入された光カードを搬送路に沿って搬送する搬送手段を備えるとする点に相当する。
　したがって、本件第２発明と上記刊行物記載の発明とは、次の点で相違し、その余では一致する。
　本件第２発明の複数の検出器は光カードの複数の位置を検出するものであるのに対し、上記刊行物１記載の発明の複数の検出器は、一方はカードの挿入を検出するものであるものの、他方は光カードからの反射光を受光部で受光して、その出力を予め設定された値と比較することによって、光カードの逆差し、裏差しなどの挿入状態の異常の有無あるいは異種カードの挿入を判別するものであって、カードの位置を検出ものではない点、さらに、本件第２発明においては、複数の検出器の検出出力の変化する順次が、標準的な順序と異なるときに異常と判断する動作異常検出手段を備えるとしているのに対し、上記刊行物１記載の発明にはその構成がない点
　そこで判断するに、本件第２発明としては、本件の明細書の記載でいえば、第５図に関連したカードの幅が狭いとか、第６図に関連したカードに切欠や穴があるとかによって、複数の検出器の検出出力の変化する順次が、標準的な順序と異なる実施例がその例に該当することは明らかである。
　そして、本件第２発明においては、複数の検出器の検出出力の変化する順次が、標準的な順序と異なる場合も含め、光カードの複数の位置の検出がなされており、この点が上記各刊行物記、載の発明のように、カードが複数の検出器において順次検出される構成から容易に導き出せるとは言い難い。また、その点が本件出願前に周知であるとする証拠もない。
　したがって、その余の点を検討するまでもなく、本件第２発明が、上記刊行物記載の発明に基づいて当業者が容易に発明できたとすることはできない。
　よって、本件第１発明の特許は、特許法第１１３条第２号に該当し、取り消されるべきものである。
　また、本件第２発明の特許については、取り消すべき理由を発見しない。
　よって、結論のとおり決定する。
【異議決定日】
平成１１年６月１０日（１９９９．６．１０）